【事件の表示】
　特願２００６−　２６９１１号「有機ＥＬディスプレイ」拒絶査定不服審判事件〔平成１９年　８月１６日出願公開、特開２００７−２０７６５６号〕について、次のとおり審決する。
【結　論】
　本件審判の請求は、成り立たない。
【理　由】
１．手続の経緯　 
　本願は、平成１８年２月３日の出願であって、平成２３年１月２０日付けで手続補正がなされた後、平成２３年２月４日付けで拒絶査定がなされ、これに対して、平成２３年５月２日に拒絶査定不服審判の請求がなされ、同時に手続補正がなされたものである。 
 　　　 
２．平成２３年５月２日付けの手続補正（以下「本件補正」という。）についての補正の却下の決定
 　　　 
［補正の却下の決定の結論］平成２３年５月２日付けの手続補正を却下する。　 
［理由］　 
（１）補正後の本願発明　 
　本件補正により、明細書の特許請求の範囲の請求項１は、　 
「電極間に少なくとも発光層を有する有機ＥＬ素子と、該有機ＥＬ素子の一方の面側にマイクロレンズ層を介して配設された透明基材とを備え、前記マイクロレンズ層は一平面をなすように複数配列された凸形状レンズ素子と該凸形状レンズ素子を被覆するように配設された平坦化層とからなり、非光硬化性および非熱硬化性である透明樹脂からなる凸形状レンズ素子の屈折率は非光硬化性および非熱硬化性である透明樹脂からなる平坦化層の屈折率よりも大きく、凸形状レンズ素子の直径は１０〜３００μｍの範囲であり、透明基材とマイクロレンズ層との間に透明基材側からカラーフィルタ層と色変換蛍光体層をこの順に有することを特徴とする有機ＥＬディスプレイ。」
と補正された。　 
 　　　 
　本件補正は、本件補正前の請求項１に記載した発明を特定するために必要な事項である「凸形状レンズ素子」について「非光硬化性および非熱硬化性である透明樹脂からなる凸形状レンズ素子」と限定し、また、「透明樹脂からなる平坦化層」について「非光硬化性および非熱硬化性である透明樹脂からなる平坦化層」と限定するものであり、この補正は、平成１８年法律第５５号改正附則第３条第１項によりなお従前の例によるとされる同法による改正前の特許法第１７条の２（以下単に「特許法第１７条の２」という。）第４項第２号に規定する特許請求の範囲の減縮を目的とする補正に該当する。　 
 　　　 
　そこで、本件補正後の請求項１に係る発明（以下「本願補正発明」という。）が、特許出願の際独立して特許を受けることができるものであるか（特許法第１７条の２第５項において準用する同法第１２６条第５項の規定に違反しないか）について検討する。　 
 　　　 
（２）引用例　 
　原査定の拒絶理由に引用された特開２００４−３６３０４９号公報（以下「引用例１」という。）、特開２００４−２５８５８６号公報（以下「引用例２」という。）及び特開平１１−７４０７２号公報（以下「引用例３」という。）には、以下の技術事項が記載されている。（後述する引用発明の認定に関連する箇所に下線を付した。）　 
 　　　 
ａ．引用例１
記載事項ア．
「【請求項５】
透明な基板と、
マトリクス状に交差する第１の電極及び透明な第２の電極によって制御されるスイッチング素子と、
前記スイッチング素子によって、前記第１の電極と前記第２の電極との間に設けられた有機発光層の発光状態が制御される面発光素子と、
前記基板と前記第２の電極との間に設けられており、前記第２の電極側に凸な曲面形状であるマイクロレンズと
を備えることを特徴とする有機エレクトロルミネッセンス表示装置。」
　
記載事項イ．
「【００２１】
【発明の実施の形態】
以下、本発明の好適な実施の形態を図面に基づいて説明する。
図１は、本発明の好ましい実施形態としての有機エレクトロルミネッセンス表示装置が適用された有機ＥＬパネル１の構成例を示す断面図である。
有機ＥＬパネル１は、
基板１１、マイクロレンズ１７、低屈折率樹脂５、
陽極１５、有機発光層１４、陰極１３を備えている。
【００２２】
基板１１は、
透明な基板である。この基板上には、低屈折率樹脂５が設けられている。この低屈折率樹脂５の内部には、複数のマイクロレンズ１７が配列して構成されたマイクロレンズアレイが構成されている。
　
記載事項ウ．
「【００２３】
マイクロレンズ１７は、
透明な樹脂で構成されている。
　
記載事項エ．
「【００２６】
また上記
マイクロレンズ１７の直径は、例えば１μｍ以上５０μｍ以下であるのが望ましい。
　
記載事項オ．
「【００２７】
この低屈折率樹脂５上には、陰極１３、有機発光層１４及び陽極１５が設けられている。陰極１３、有機発光層１４及び陽極１５は、有機ＥＬ素子を構成している。
　
記載事項カ．
「【００３３】
有機発光層１４が出力した光は、透明な陽極１５及び屈折率の低い低屈折率樹脂５を透過し、マイクロレンズ１７に入射する。マイクロレンズ１７は、低屈折率樹脂５よりも屈折率が高い
従って、有機ＥＬパネル１は、有機発光層１４が出力した光の取り出し効率が良くなり、輝度を向上することができるばかりでなく、従来と同じ輝度であれば消費電力を低減することができる。」
　
記載事項キ．
「【００３５】
＜マイクロレンズ形成ステップ＞
図２（ｂ）に示すように、トランジスタ１２等が形成された基板１１上には、上述したマイクロレンズ１７を形成するための基材としての
マイクロレンズ用樹脂（感光性高屈折率樹脂１７ａ）
　
記載事項ク．
「【００３６】
＜樹脂充填硬化ステップ＞
次に、マイクロレンズ１７等が形成された基板１１の表面上には、屈折率約１．３８のアクリル樹脂をスピンコート等により塗布し、約１８０度の雰囲気としたクリーンオーブンに約３０分入れてそのアクリル樹脂の表面をリフローし、図３（ｂ）に示す低屈折率樹脂５のように平坦化処理を行う。
平坦化された低屈折率樹脂５は、基板１１上に形成したマイクロレンズ１７等を覆うように構成されている。
　
記載事項ケ．
「【００４２】
具体的には、図７に示すようにマイクロレンズ１７等が形成された基板１１上に、
低屈折率樹脂５として
アクリル樹脂が塗布される。このアクリル樹脂としては、例えば協立化学産業製のワールドロック７７０２を採用する。
　
記載事項コ．
「【００４７】
また、図８に示すような構成の有機ＥＬパネル１ａに限られず、
上記実施の形態は、図９に示すような有効性の有機ＥＬパネル１ｂに適用することもできる。この有機ＥＬパネル１ｂは、上述したプロセスとほぼ同様のプロセスを用いて、図８に示す有機ＥＬパネル１ａの構成に加えて、低屈折率樹脂５と陽極１５との間にカラーフィルターレジストによるカラーフィルター層２Ｂ，２Ｒ，２Ｇが形成されている。
　
記載事項サ．
【図１】本実施形態における有機ＥＬパネルの構成例を示す断面図
　
　
記載事項シ．
【図９】本実施形態における有機ＥＬパネルの応用例を示す断面図
　
　
　図９には、
透明な基板１１、マイクロレンズ１７、マイクロレンズ１７を被覆する低屈折率樹脂５の内部に複数のマイクロレンズ１７が配列して構成されたマイクロレンズアレイ、カラーフィルター層２Ｂ，２Ｒ，２Ｇ、陽極１５、有機発光層１４、陰極１３をこの順に有する有機ＥＬパネル１ｂが示されている。
　
　記載事項ア．〜シ．の記載内容からして、引用例１には、　 
「透明な基板１１の上に、平坦化された低屈折率樹脂５の内部に複数のマイクロレンズ１７が配列して構成されたマイクロレンズアレイ、カラーフィルター層２Ｂ，２Ｒ，２Ｇ、透明な陽極１５、有機発光層１４、陰極１３をこの順に有し、陰極１３、有機発光層１４及び陽極１５は有機ＥＬ素子を構成する有機ＥＬパネル１ｂであって、マイクロレンズ用樹脂は透明な感光性高屈折率樹脂であり、低屈折率樹脂５はアクリル樹脂（協立化学産業製のワールドロック７７０２）であり、マイクロレンズ１７は、低屈折率樹脂５よりも屈折率が高く、また、マイクロレンズ１７の直径は１μｍ以上５０μｍ以下である有機ＥＬパネル１ｂ。」
の発明（以下「引用発明」という。）が記載されていると認められる。
　
ｂ．引用例２
記載事項ス．
「【００２４】
図１（ａ）に示すように、光学フィルター１０は、例えば、透明基板１１上にブラックマトリックス（図では「ＢＭ」と表示する。）１２が積層され、ブラックマトリックス１２の開孔部に相当する位置に、カラーフィルター層（図中「ＣＦ層」と表示する。）１３が積層されたものであって、さらに上面に微細凹凸面１４を有する層が積層されることにより、カラーフィルター層１３の上方に微細凹凸面１４を有するものである。なお、後に説明するように、微細凹凸面１４を有する層は種々の層であり得る。この光学フィルター１０は、その上方に配置された有機ＥＬ素子２０と共に、有機ＥＬディスプレイ１を構成する。有機ＥＬ素子２０は、各画素ごとに発光する発光層を備えており、カラーフィルター層１３は、有機ＥＬ素子２０が発光してもたらされる入射光を色補正する機能を有する。
【００２５】
図１（ｂ）に示すように、本発明の光学フィルター１０は、透明基板１１上にブラックマトリックス１２が積層され、ブラックマトリックス１２の開孔部に相当する位置に、色変換層１５が積層されたものであって、色変換層１５の上方に微細凹凸面１４を有するものであってもよい。微細凹凸面１４を有する層は種々の層であり得る。この光学フィルター１０は、その上方に配置された有機ＥＬ素子２０と共に、有機ＥＬディスプレイ１を構成する。有機ＥＬ素子２０は、各画素ごとに発光する発光層を備えており、色変換層１５は、有機ＥＬ素子２０が発光することによりもたらされる入射光を色変換する機能を有する。
【００２６】
図１（ｃ）に示すように、本発明の光学フィルター１０は、透明基板１１上にブラックマトリックス１２が積層され、ブラックマトリックス１２の開孔部に相当する位置に、カラーフィルター層１３および色変換層１５がこの順に積層されたものであって、色変換層１５の上方に微細凹凸面１４を有するものであってもよい。微細凹凸面１４を有する層は種々の層であり得る。この光学フィルター１０は、その上方に配置された有機ＥＬ素子２０と共に、有機ＥＬディスプレイ１を構成する。有機ＥＬ素子２０は、各画素ごとに発光する発光層を備えており、色変換層１５は、有機ＥＬ素子２０が発光することによりもたらされる入射光を色変換する機能を有し、カラーフィルター１３は、色変換層１５が色変換した光をさらに色補正する機能を有する。」
　
記載事項セ．
「【００５８】
色変換層１５は、ブラックマトリックス１２の開孔部、およびカラーフィルター層１３に対応して設けられるもので、やはり、各画素毎に、青色用、緑色用、および赤色用に三種類が規則的に配列したものである。なお、青色用の色変換層については、有機ＥＬ素子が、青色光、もしくは青色光および緑色光を発光する場合には、色変換を行なう必要がないので、省略できるが、他の色用の色変換層と同じ厚みのクリア層をダミー層として形成しておくことが好ましい。
【００５９】
色変換層１５の各部分は、カラーフィルター層１３の各色の部分と同様、ブラックマトリックス２の開孔部のみに設けたものであってもよいが、図１〜図３における手前側から奥側の方向に帯状に設けたものであってもよい。
【００６０】
赤色変換層、および緑色変換層は、それぞれ、青色を赤色に変換する赤色変換蛍光体、および青色を緑色に変換する緑色変換蛍光体を樹脂中に溶解もしくは分散した組成物で構成される。」
　
記載事項ソ．
【図１】この発明の有機ＥＬディスプレイおよび光学フィルターを示す図　
　
　
ｃ．引用例３
記載事項タ．
「【請求項１】薄膜ＥＬ素子が形成されたＥＬパネル基板と透光性のシール基板を前記薄膜ＥＬ素子が内側になるように接着し、前記ＥＬパネル基板と前記シール基板の間隙を満たす絶縁性液体を備えた薄膜ＥＬパネルにおいて、
前記シール基板の前記ＥＬパネル基板側に前記絶縁性液体と接するように凸型形状の透光性部材を設け、
前記凸型形状の透光性部材の光学屈折率ｎ１と前記絶縁性液体の光学屈折率ｎ２がｎ１＞ｎ２に設定された前記凸型形状の透光性部材と前記絶縁性液体からなるマイクロレンズを備えたことを特徴とする薄膜ＥＬパネル。」
　
記載事項チ．
「【請求項７】前記透光性部材と前記シール基板の間にカラーフィルターを設けたことを特徴とする請求項１乃至請求項６に記載の薄膜ＥＬパネル。」
　
記載事項ツ．
「【００２４】請求項７に係る発明は、図９（ｂ）のように透光性樹脂からなる凹凸形状１０と絶縁性液体１５の光学屈折率差から構成されるマイクロレンズ１６をカラーフィルター９より薄膜ＥＬ素子７側に配置つまり観察者から見た場合マイクロレンズ１６がカラーフィルター９より奥側に設けられることで、入射した外光が散乱されパネル外部に出射するまでに２度もカラーフィルター９を透過することになりそのほとんどがカラーフィルター９に吸収されてしまうので出射光はわずかでありコントラストの低下が防止できる。」
　
記載事項テ．
【図９】（ｂ）　この発明の薄膜ＥＬパネルの断面図
　
　
（３）対比
　本願補正発明と引用発明を対比する。
（ａ）引用発明の「陰極１３、有機発光層１４及び陽極１５は有機ＥＬ素子を構成する」ことは、本願補正発明の「電極間に少なくとも発光層を有する有機ＥＬ素子」に相当する。
　
（ｂ）引用発明の「透明な基板１１」、「マイクロレンズアレイ」は、本願補正発明の「透明基材」、「マイクロレンズ層」にそれぞれ相当するから、引用発明の「透明な基板１１の上に、平坦化された低屈折率樹脂５の内部に複数のマイクロレンズ１７が配列して構成されたマイクロレンズアレイ、カラーフィルター層２Ｂ，２Ｒ，２Ｇ、透明な陽極１５、有機発光層１４、陰極１３をこの順に有」することは、本願補正発明の「該有機ＥＬ素子の一方の面側にマイクロレンズ層を介して配設された透明基材とを備え」ることに相当する。
　
（ｃ）引用発明の「マイクロレンズ１７」、「平坦化された低屈折率樹脂５」は、本願補正発明の「凸形状レンズ素子」、「平坦化層」にそれぞれ相当し、引用発明の「複数のマイクロレンズ１７」が一平面をなすように配列していることは自明であるから、引用発明の「マイクロレンズアレイ」が「平坦化された低屈折率樹脂５の内部に複数のマイクロレンズ１７が配列して構成され」ていることは、本願補正発明の「前記マイクロレンズ層は一平面をなすように複数配列された凸形状レンズ素子と該凸形状レンズ素子を被覆するように配設された平坦化層とからな」ることに相当する。
　
（ｄ）引用発明の「マイクロレンズ用樹脂は透明な感光性高屈折率樹脂であ」ることと本願補正発明の「非光硬化性および非熱硬化性である透明樹脂からなる凸形状レンズ素子」は、「透明樹脂からなる凸形状レンズ素子」である点で共通する。
　また、引用発明の「低屈折率樹脂５」である「アクリル樹脂（協立化学産業製のワールドロック７７０２）」は、光硬化型の樹脂であり（例えば特開２００２−９０５０６号公報の【００５２】等参照）、引用例の上記記載事項イを参酌すると、引用発明は基板１１側から光が出て行くものであるから、「低屈折率樹脂５」は透明樹脂であることは自明である。そうすると引用発明の「アクリル樹脂（協立化学産業製のワールドロック７７０２）であ」る「平坦化された低屈折率樹脂５」と本願補正発明の「非光硬化性および非熱硬化性である透明樹脂からなる平坦化層」とは、「透明樹脂からなる平坦化層」である点で共通する。
　また、引用発明の「マイクロレンズ１７は、低屈折率樹脂５よりも屈折率が高」いことは、本願補正発明の「透明樹脂からなる凸形状レンズ素子の屈折率は」「透明樹脂からなる平坦化層の屈折率よりも大き」いことに相当する。
　
（ｅ）引用発明の「マイクロレンズ１７の直径は１μｍ以上５０μｍ以下である」ことは、１０〜５０μｍの範囲において、本願補正発明の「凸形状レンズ素子の直径は１０〜３００μｍの範囲であ」ることに包含されている。
　
（ｆ）引用発明の「カラーフィルター層２Ｂ，２Ｒ，２Ｇ」は、本願補正発明の「カラーフィルタ層」に相当するから、引用発明の「透明な基板１１の上に、平坦化された低屈折率樹脂５の内部に複数のマイクロレンズ１７が配列して構成されたマイクロレンズアレイ、カラーフィルター層２Ｂ，２Ｒ，２Ｇ」「をこの順に有」することと本願補正発明の「透明基材とマイクロレンズ層との間に透明基材側からカラーフィルタ層と色変換蛍光体層をこの順に有する」ことは、「さらにカラーフィルタ層を有する」点で共通する。
　
（ｇ）引用発明の「有機ＥＬパネル１ｂ」は、本願補正発明の「有機ＥＬディスプレイ」に相当する。
 　　　 
　上記（ａ）〜（ｇ）に記載したことからして、本願補正発明と引用発明は、
「電極間に少なくとも発光層を有する有機ＥＬ素子と、該有機ＥＬ素子の一方の面側にマイクロレンズ層を介して配設された透明基材とを備え、前記マイクロレンズ層は一平面をなすように複数配列された凸形状レンズ素子と該凸形状レンズ素子を被覆するように配設された平坦化層とからなり、透明樹脂からなる凸形状レンズ素子の屈折率は透明樹脂からなる平坦化層の屈折率よりも大きく、凸形状レンズ素子の直径は１０〜３００μｍの範囲であり、さらに、カラーフィルタ層を有する有機ＥＬディスプレイ。」
である点で一致し、次の点で相違する。
 　　　 
相違点（Ａ）
　本願補正発明は、凸形状レンズ素子が、非光硬化性および非熱硬化性である透明樹脂からなるのに対して、引用発明は、マイクロレンズ１７が、透明な感光性高屈折率樹脂であるマイクロレンズ用樹脂からなる点。
　
相違点（Ｂ）
　本願補正発明は、平坦化層が、非光硬化性および非熱硬化性である透明樹脂からなるのに対して、引用発明は、平坦化された低屈折率樹脂５が、透明な光硬化型の樹脂であるアクリル樹脂（協立化学産業製のワールドロック７７０２）からなる点。
　
相違点（Ｃ）
　本願補正発明は、透明基材とマイクロレンズ層との間に透明基材側からカラーフィルタ層と色変換蛍光体層をこの順に有するのに対して、引用発明は、透明な基板１１の上に、平坦化された低屈折率樹脂５の内部に複数のマイクロレンズ１７が配列して構成されたマイクロレンズアレイ、カラーフィルター層２Ｂ，２Ｒ，２Ｇをこの順に有し、かつ色変換蛍光体層を有しない点。
 　 
（４）当審の判断　 
　上記相違点について検討する。　 
　まず、相違点（Ａ）及び（Ｂ）について検討する。　 
　有機ＥＬディスプレイ及び光学分野において、光学部材である凸形状マイクロレンズ素子を形成する樹脂として非光硬化性および非熱硬化性である透明樹脂を用いることは、例えば特開２００６−２６９７３号公報（段落【０１０１】等参照）、特開２００５−２４６８１０号公報（段落【００２３】、【００２４】等参照）にも記載されているように本願の出願前周知である。また、マイクロレンズの凹凸を平坦化する平坦化膜を形成する樹脂として非光硬化性および非熱硬化性である透明樹脂を用いることは、例えば特開２００２−９２６６号公報（段落【００１０】〜【００１７】等参照）にも記載されているように本願の出願前周知である。そして、引用発明のマイクロレンズ１７及び低屈折率樹脂５を形成する樹脂として、周知の非光硬化性および非熱硬化性である透明樹脂を採用する程度のことは当業者であれば格別困難なくなし得ることであるから、上記相違点（Ａ）及び（Ｂ）に係る本願補正発明の発明特定事項を得ることは当業者であれば容易になし得ることである。
　
　次に、相違点（Ｃ）について検討する。
　カラーフィルター層等の色調整層を発光層を有する有機ＥＬ素子より光出射側のどこの層に設けるかは、当業者が必要に応じて適宜決定し得る設計的事項にすぎないし、透明基材とマイクロレンズ層との間に色調整層を設けることも引用例３に記載されているように知られていることであるから、引用発明においても色調整層であるカラーフィルター層を透明な基板１１とマイクロレンズアレイとの間に設けるようにすることは、当業者が必要に応じて適宜なし得ることである。また、有機ＥＬディスプレイの分野において、色調整層として、カラーフィルター層のみを設ける場合、色変換蛍光体層のみを設ける場合、カラーフィルタ層と色変換蛍光体層の両方の層を設ける場合の３通りがあることは、引用例２にも記載されているように知られていることであり、有機ＥＬ素子の発光色や最終的に得たい色等に応じて、色調整層としてカラーフィルタ層と色変換蛍光体層の両方の層からなるものを選択することも、当業者が適宜なし得ることである。そして、色調整層としてカラーフィルタ層と色変換蛍光体層の両方の層からなるものを採用した場合、光出射側（基板側）からみて、カラーフィルタ層、色変換蛍光体層の順となることは自明なことである。
　したがって、上記相違点（Ｃ）に係る本願補正発明の発明特定事項を得ることは当業者であれば容易になし得ることである。
 　　　 
　そして、本願補正発明の効果も、引用発明、引用例２、３に記載された事項及び上記周知技術から予測し得る範囲内のものであり、格別のものとは認め難い。
 　　　 
　よって、本願補正発明は、引用発明、引用例２、３に記載された事項及び上記周知技術に基いて当業者が容易に発明をすることができたものであるから、特許法第２９条第２項の規定により特許出願の際独立して特許を受けることができない。　 
 　　　 
（５）むすび　 
　以上のとおり、本件補正は、特許法第１７条の２第５項において準用する同法第１２６条第５項の規定に違反するものであるから、同法第１５９条第１項において読み替えて準用する同法第５３条第１項の規定により却下すべきものである。　 
 　　　 
３．本願発明について　 
　平成２３年５月２日付けの手続補正は上記のとおり却下されたので、本願の請求項１に係る発明は、平成２３年１月２０日付けの手続補正により補正された特許請求の範囲の請求項１に記載された以下のとおりのものである。（以下同項記載の発明を「本願発明」という。）　 
 「電極間に少なくとも発光層を有する有機ＥＬ素子と、該有機ＥＬ素子の一方の面側にマイクロレンズ層を介して配設された透明基材とを備え、前記マイクロレンズ層は一平面をなすように複数配列された凸形状レンズ素子と該凸形状レンズ素子を被覆するように配設された平坦化層とからなり、凸形状レンズ素子の屈折率は透明樹脂からなる平坦化層の屈折率よりも大きく、凸形状レンズ素子の直径は１０〜３００μｍの範囲であり、透明基材とマイクロレンズ層との間に透明基材側からカラーフィルタ層と色変換蛍光体層をこの順に有することを特徴とする有機ＥＬディスプレイ。」
 　 
４．引用例　 
　原査定の拒絶の理由に引用された引用例１〜３の記載事項は、上記「２．」「（２）」に記載したとおりである。
 　　　 
５．対比・判断　 
　本願発明は、上記「２．」で検討した本願補正発明から「凸形状レンズ素子」の限定事項である「非光硬化性および非熱硬化性である透明樹脂からなる」という事項を省き、また、「透明樹脂からなる平坦化層」の限定事項である「非光硬化性および非熱硬化性である」という事項を省いたものである。
　そうすると、本願発明の発明特定事項を全て含み、さらに限定したものに相当する本願補正発明が、上記「２．」「（４）」に記載したとおり、引用発明、引用例２、３に記載された事項及び上記周知技術に基いて当業者が容易に発明をすることができたものであるから、本願発明も、同様の理由により、引用発明及び引用例２，３に記載された事項及び上記周知技術に基いて当業者が容易に発明をすることができたものである。
　
６．むすび　 
　以上のとおり、本願発明は、引用発明及び引用例２、３に記載された事項及び上記周知技術に基いて当業者が容易に発明をすることができたものであるから、特許法第２９条第２項の規定により特許を受けることができない。
　よって、結論のとおり審決する。